(57)【特許請求の範囲】
【請求項１】
静磁場中に置かれた被検体に対する高周波磁場の印加及び被検体からの磁場共鳴信号の検出のうち少なくとも一方を行う磁気共鳴映像装置用高周波コイルにおいて、
全体がほぼ楕円筒状に構成されるものであって、前記楕円の一軸に対してほぼ４５°の４方向に円筒軸に平行に設けられる４本のウイング導体と、これらウイング導体の両端に各々設けられる楕円状リング導体と、少なくとも一方のコイル端に設けられるエンド導体と、前記４本のウイング導体と少なくとも一方の前記リング導体及び前記エンド導体とに接続されるキャパシタンスと、前記ウイング導体と前記リング導体又は前記エンド導体の接続部間のほぼ中間に各々挿入されるキャパシタンスとを具備し、
前記隣り合って並んだウイング導体に直列に接続されたキャパシタンス又は同じく平行に並んだウイング導体、前記リング導体の接続部とエンド導体接続部に挿入されたキャパシタンスより、各々９０°位相の異なる高周波電力を供給又は高周波信号を検出するとともに、前記高周波電力を供給又は高周波信号を検出する側でないウイング導体の部分が、軸に平行に分割されて開閉可能に構成されていることを特徴とする磁気共鳴映像装置用高周波コイル。
【請求項２】
静磁場中に置かれた被検体に対する高周波磁場の印加及び被検体からの磁場共鳴信号の検出のうち少なくとも一方を行う磁気共鳴映像装置用高周波コイルにおいて、
全体がほぼ楕円筒状に構成されるものであって、前記楕円の一軸に対してほぼ４５°の４方向に円筒軸に平行に設けられる４本のウイング導体と、このウイング導体の両端に直接接続される楕円状リング導体と、少なくとも一方のコイル端に設けられるエンド導体と、前記４本のウイング導体と前記リング導体とのほぼ同じ接続点と前記エンド導体との間に接続されるキャパシタンスと、前記リング導体における前記ウイング導体との４つの接続部間のほぼ中間に各々挿入されるキャパシタンスとを具備し、
前記隣り合って並んだウイング導体に直列に接続されたキャパシタンス又は同じく平行に並んだウイング導体、前記リング導体の接続部とエンド導体接続部に挿入されたキャパシタンスより、各々９０°位相の異なる高周波電力を供給又は高周波信号を検出するとともに、前記高周波電力を供給又は高周波信号を検出する側でないウイング導体の部分が、軸に平行に分割されて開閉可能に構成されていることを特徴とする磁気共鳴映像装置用高周波コイル。
【請求項３】
静磁場中に置かれた被検体に対する高周波磁場の印加及び被検体からの磁場共鳴信号の検出のうち少なくとも一方を行う磁気共鳴映像装置用高周波コイルにおいて、
全体がほぼ楕円筒状に構成されるものであって、前記楕円の一軸に対してほぼ４５°の４方向に円筒軸に平行に設けられる４本のウイング導体と、このウイング導体の両端に直接接続される楕円状リング導体及びエンド導体と、前記ウイング導体と前記リング導体及び前記エンド導体との接続部間のほぼ中間に各々挿入されるキャパシタンスとを具備し、
前記４本のウイング導体は楕円筒軸方向に分割され且つこれら分割されたウイング導体は前記キャパシタンスにより接続されてなり、
前記隣り合って並んだウイング導体に直列に接続されたキャパシタンス又は同じく平行に並んだウイング導体、前記リング導体の接続部とエンド導体接続部に挿入されたキャパシタンスより、各々９０°位相の異なる高周波電力を供給又は高周波信号を検出するとともに、前記高周波電力を供給又は高周波信号を検出する側でないウイング導体の部分が、軸に平行に分割されて開閉可能に構成されていることを特徴とする磁気共鳴映像装置用高周波コイル。
【請求項４】
前記楕円の一軸は、前記楕円の長軸又は短軸であることを特徴とする請求項１乃至３のいずれかに記載の磁気共鳴映像装置用高周波コイル。
【発明の詳細な説明】
【０００１】
【発明の属する技術分野】
本発明は、静磁場中に置かれた被検体に対する高周波磁場の印加及び被検体からの磁場共鳴信号の検出のうち少なくとも一方を行う磁気共鳴映像装置用高周波コイルに関する。
【０００２】
【従来の技術】
磁気共鳴映像装置においては、一般に、被検体に静磁場を印加すると共に、高周波磁場の送信と勾配磁場の印加を所定のシーケンスにより行うことによって磁気共鳴信号を生じさせ、この磁気共鳴信号を受信し処理して画像を再構成する。高周波磁場の送信と磁気共鳴信号の受信は、高周波コイルを介して行われる。
【０００３】
近年、動きの速い部位（心臓など）の撮像を可能とする高速イメージング法（撮像時間が数１０ｍｓ）では、観測時間を短縮したことによるＳ／Ｎ低下が大きな問題となっている。また同じく脳の局所血流の微妙な変化を捉える脳機能イメージングにおいても同様の高速イメージング法を用いるため高Ｓ／Ｎ化が不可欠である。
【０００４】
高Ｓ／Ｎに信号を観測するためには、高周波コイルの構成が重要ポイントとなる。高周波コイルで観測する信号Ｓ／Ｎは、Ｂ１  ／Ｒ１／２  に比例する。
ここでＢ１  は高周波コイルに１アンペアの電流を流したときに観測領域で発生する磁場の強さであり、高周波コイルを小さくする事により大きくすることができる。Ｒは高周波コイルの高周波抵抗を示すが、コイル由来の高周波損失と被検体由来の高周波損失に分けられる。通常被検体由来の損失は避けようなないため、できるだけコイル由来の高周波損失が少なくなるようにする。相対的に被検体由来の損失が支配的になるようにすればよいため、高周波コイル内の被検体の充填率を上げるようにすればよい。
【０００５】
ところが、通常胸腹部を撮像する全身用コイルは、磁石のカバーの内側に納められるため、被検体に比べ非常に大きく、Ｂ１  が小さくなるだけでなく充填率を下げている。また頭部用コイルについても頭部を載せるヘッドレストが十分余裕を持って納まるように大きめの円筒状に作られており、被検体に密着させないことによりＢ１  を下げている。
【０００６】
【発明が解決しようとする課題】
このように従来は、胸腹部あるいは頭部をイメージングする場合、Ｓ／Ｎ最大となる最適な高周波コイルの構成をとっていなかった。
本発明の目的は、被検体に密着し易い楕円筒型でＱＤ型の磁気共鳴映像装置用高周波コイルを提供することを目的とする。
【０００７】
【課題を解決するための手段】
本発明は、静磁場中に置かれた被検体に対する高周波磁場の印加及び被検体からの磁場共鳴信号の検出のうち少なくとも一方を行う磁気共鳴映像装置用高周波コイルにおいて、全体がほぼ楕円筒状に構成されるものであって、前記楕円の一軸に対してほぼ４５°の４方向に円筒軸に平行に設けられる４本のウイング導体と、これらウイング導体の両端に各々設けられる楕円状リング導体と、少なくとも一方のコイル端に設けられるエンド導体と、前記４本のウイング導体と少なくとも一方の前記リング導体及び前記エンド導体とに接続されるキャパシタンスと、前記ウイング導体と前記リング導体又は前記エンド導体の接続部間のほぼ中間に各々挿入されるキャパシタンスとを具備し、前記隣り合って並んだウイング導体に直列に接続されたキャパシタンス又は同じく平行に並んだウイング導体、前記リング導体の接続部とエンド導体接続部に挿入されたキャパシタンスより、各々９０°位相の異なる高周波電力を供給又は高周波信号を検出するとともに、前記高周波電力を供給又は高周波信号を検出する側でないウイング導体の部分が、軸に平行に分割されて開閉可能に構成されている。
本発明は、静磁場中に置かれた被検体に対する高周波磁場の印加及び被検体からの磁場共鳴信号の検出のうち少なくとも一方を行う磁気共鳴映像装置用高周波コイルにおいて、全体がほぼ楕円筒状に構成されるものであって、前記楕円の一軸に対してほぼ４５°の４方向に円筒軸に平行に設けられる４本のウイング導体と、このウイング導体の両端に直接接続される楕円状リング導体と、少なくとも一方のコイル端に設けられるエンド導体と、前記４本のウイング導体と前記リング導体とのほぼ同じ接続点と前記エンド導体との間に接続されるキャパシタンスと、前記リング導体における前記ウイング導体との４つの接続部間のほぼ中間に各々挿入されるキャパシタンスとを具備し、前記隣り合って並んだウイング導体に直列に接続されたキャパシタンス又は同じく平行に並んだウイング導体、前記リング導体の接続部とエンド導体接続部に挿入されたキャパシタンスより、各々９０°位相の異なる高周波電力を供給又は高周波信号を検出するとともに、前記高周波電力を供給又は高周波信号を検出する側でないウイング導体の部分が、軸に平行に分割されて開閉可能に構成されている。
本発明は、静磁場中に置かれた被検体に対する高周波磁場の印加及び被検体からの磁場共鳴信号の検出のうち少なくとも一方を行う磁気共鳴映像装置用高周波コイルにおいて、全体がほぼ楕円筒状に構成されるものであって、前記楕円の一軸に対してほぼ４５°の４方向に円筒軸に平行に設けられる４本のウイング導体と、このウイング導体の両端に直接接続される楕円状リング導体及びエンド導体と、前記ウイング導体と前記リング導体及び前記エンド導体との接続部間のほぼ中間に各々挿入されるキャパシタンスとを具備し、前記４本のウイング導体は楕円筒軸方向に分割され且つこれら分割されたウイング導体は前記キャパシタンスにより接続されてなり、前記隣り合って並んだウイング導体に直列に接続されたキャパシタンス又は同じく平行に並んだウイング導体、前記リング導体の接続部とエンド導体接続部に挿入されたキャパシタンスより、各々９０°位相の異なる高周波電力を供給又は高周波信号を検出するとともに、前記高周波電力を供給又は高周波信号を検出する側でないウイング導体の部分が、軸に平行に分割されて開閉可能に構成されている。
【０００８】
このような構成の本発明に係る磁気共鳴映像装置用高周波コイルによれば、平行に並んだウイング導体部に直列に挿入されたキャパシタンス、又は同じく平行に並んだウイング導体・リング導体の接続部とエンド導体接続部に挿入されたキャパシタンスより、各々９０°位相の異なる高周波電力を供給又は高周波信号を検出することができる。さらに、エンド導体は楕円状のリング導体でもよいし、楕円筒の軸にほぼ垂直な板状か曲面状の導体で構成しても良い。板状か曲面状の導体で構成することにより均一領域を拡大できる。またこのような高周波コイルにおいて高周波電力を供給又は高周波信号を検出する側でない反対側のウイング導体は軸に平行に分割されていても良い。こうすることにより、非可塑性の材料で覆い、フレキシブルに開いたり閉じたりできる。
【０００９】
【発明の実施の形態】
図１は、本発明の一実施形態に係る磁気共鳴映像装置用高周波コイルを示す図である。図１において、本実施形態の高周波コイルは、ほぼ楕円筒状に構成され、長軸あるいは短軸に対してほぼ４５°の４方向に円筒軸に平行な４本のウイング導体１ａ−１ｄを持つ。これは、楕円筒上に導体板状に形成されている。
【００１０】
ウイング導体１ａ−１ｄの両端に各々楕円状のリング導体２ａ−２ｂを持ち、各々４本のウイング導体１ａ−１ｄとリング導体２ａ−２ｂは直接接続され、ほぼ同じ接続点でエンド導体３ａ−３ｂとキャパシタンス４ａ−４ｈにより接続されている。また、接続されたリング導体２ａ，２ｂはそれぞれウイング導体１ａ−１ｂとの４つの接続部間のほぼ中間にキャパシタンス５ａ−５ｄ，５ｅ−５ｈを挿入する形で分割されている。
【００１１】
給電は、リング導体２ａとエンド導体３ａ間に挿入されたキャパシタンス４ｃ，４ｄより行われている。通常、エンド導体３ａと給電用同軸ケーブル６ａ，６ｂのアース導体（被覆導体）７ａ，７ｂを接続し、リング導体２ａ側からキャパシタンス８ａ，８ｂを介して同軸ケーブル６ａ，６ｂの芯線に接続する。
【００１２】
図１では円偏波を発生する目的のために、直交する２方向に高周波磁場を発生させるべく２つの給電用ケーブル６ａ，６ｂを接続している。この場合、２つの給電点間のアイソレーションを十分取る必要があるが、アイソレーション確保のためには、リング導体２ａ又は２ｂに挿入されたキャパシタンス５ａ−５ｈの値を調整する。上下方向のキャパシタンス５ａ，５ｃ，５ｅ，５ｇ、また左右方向のキャパシタンス５ｂ，５ｄ，５ｆ，５ｈは、ペアで変えた方が望ましい。これらキャパシタンス５ａ，５ｃ，５ｅ，５ｇ、また左右方向のキャパシタンス５ｂ，５ｄ，５ｆ，５ｈは、可変容量コンデンサを用いてもよい。
【００１３】
エンド導体３ａ，３ｂは、傾斜磁場コイル駆動時にエンド導体３ａ，３ｂに渦電流が発生しないように、十分に容量の大きいキャパシタンスを１ケ所以上挿入するとよい。さらにウイング導体１ａ−１ｄは、幅広であるとやはり渦電流が多く流れ画像化時に悪影響を及ぼす。この渦電流の影響を避けるため、例えば図２のように高周波電流の流れにできるだけ沿った形でスリット９ａ，９ｂを挿入し、渦電流ループの発生を妨げるためキャパシタンス１０ａ−１０ｃを挿入することが望ましい。
【００１４】
図１の構成を分かりやすくするために、図３では、図１の実施形態の磁気共鳴映像装置用高周波コイルの電気的等価回路を示す。エンド導体３ａ，３ｂの位置は、図３から類推されるように、図１の如くリング導体２ａ，２ｂの内側に置く必要はない。外側でも、軸方向に隣接する位置でもよく、電気的回路が図３と等価であればよい。
【００１５】
図３において、ウイング導体１ａ−１ｄの中心を通るように点線で示されているのは、電気的中点であり、この位置で楕円上のリング導体１１をウイング導体１ａ−１ｄに接続しても問題はなく、さらに接続後軸方向の半分を取り除いても使用上問題はない。
【００１６】
図４は接続後軸方向の半分を取り除いた場合の実施形態を示す図である。もちろん、リング導体１１には渦電流の発生を抑えるため１ケ所以上十分容量の大きいキャパシタンスを挿入するのが望ましい。
【００１７】
本発明のコイルは、楕円柱形状であるため、人胴体に適用する場合は、長軸を水平方向に、短軸を上下方向にする。その際、被検者に装着するには開閉機構がある方が望ましい。
【００１８】
図５は、本発明の高周波コイルを開閉式にするための一例を示している。本コイルでは、ウイング導体に流れる高周波電流は、リング導体、あるいはエンド導体では２方向に分割される。よって、幅広なウイング導体のほぼ真ん中で軸方向に入れたスリットで分割しても高周波電流のパスに影響を与えない。つまり電気的に接続する必要はない。もちろんこの際、図１ではウイング導体とリング導体の接点とエンド導体を接続するキャパシタンス（容量Ｃ）を各々１つしか示していないが、例えばウイング１ｂを分割する場合には、容量Ｃ／２のキャパシタンス１２ａ，１２ｂ又は１２ｃ，１２ｄをそれぞれ２つ並列に並べ、その間で分割するようにする。エンド導体３ａ，３ｂも同じ位置で切断することにより、この位置で完全にコイルを切断することが可能である。
【００１９】
図６は本例の断面を示す図である。コイルを可塑性を有する支持部材１３で覆い、被検者に入ってもらうときは切断部を開き、切断部を閉じる際には接続部に例えばマジックテープ１４を用いることにより容易に被検者に装着できるようになる。
【００２０】
本発明の高周波コイルの適用としては、頭部も非常によい対象である。頭部に適用する際には、長軸を上下方向に、短軸を左右方向にした方が望ましい。
図７は本発明の高周波コイルを頭部に適用する際の例を示す。これは基本的には図３の等価回路で示されるコイルの例であるが、まず、図４と同様にウイング導体の中点でリング導体を接続する形状をしている。この場合、リング導体２１付近はキャパシタンスが集まっている側と軸上反対の位置にあり構成上電界が弱いため、こちらから頭部を挿入しても、電界由来のコイルロスを抑えることができる。またキャパシタンスが集まった給電点側のエンド導体２２を導体板、又は頭頂部の曲面形状に合わせた形にすることにより、頭頂部の高周波磁場均一性を向上させることができる。
【００２１】
これは従来鳥かご型コイルでも類似の手法が提案されているが、これらの例で導体板などで覆うのは、キャパシタンスの集まった給電点側よりもむしろ、本実施形態でウイング導体の中点で接続したリング導体２１の部分である。エンド導体２２の構成については、やはり傾斜磁場コイル駆動時の渦電流を抑えるため図８のように網状にするか、図９のように複数の導体２３に分割して十分容量の大きなキャパシタンス２４で接続する。その他誘電体を挟んだ両面基板を用いて各々の導体面の分割を互い違いに行う、等の操作により、隣接する導体間を直流的には切断するものの高周波的には接続状態にする種々の手法を用いることができる。
【００２２】
また図１０のように頭部用コイルは被検体との密着度を高めるため、ヘッドレスト２５と一体型で形成しても良い。図１０ではヘッドレスト２５はまた寝台２６に固定されている。
【００２３】
図１１は本発明の別の実施形態に係る磁気共鳴映像装置用高周波コイルを示す図である。４本のウイング導体３１ａ−３１ｄと両側のリング導体３２ａ，３２ｂはキャパシタンス３３ａ−３３ｄ，３３ｅ−３３ｈにより接続され、ほぼ同じ接続部でさらにエンド導体３４ａ，３４ｂにも付加的な接続導体３５ａ−３５ｄ，３５ｅ−３５ｈにより接続され、エンド導体においてエンド導体３４ａ，３４ｂとリング導体３２ａ，３２ｂ各々の４つの接続部のほぼ中間にキャパシタンス３６ａ−３６ｄ，３６ｅ−３６ｈが挿入されている。
【００２４】
給電は、リング導体３２ａとウイング導体３１ａ，３１ｂ間に挿入されたキャパシタンス３３ａ，３３ｂより行われている。ここではリング導体３２ａと給電用同軸ケーブル３７ａ，３７ｂのアース側導体３８ａ，３８ｂ（被覆導体）を接続し、ウイング導体３１ａ，３１ｂからキャパシタンス３９ａ，３９ｂを介して同軸ケーブルの芯線に接続する。
【００２５】
図１１では円偏波を発生する目的のために、直交する２方向に高周波磁場を発生させるべく、隣接するリング導体／ウイング導体間キャパシタンスに給電用ケーブル３７ａ，３７ｂを接続している。この場合２つの給電点間のアイソレーションを十分取る必要があるが、そのためには、エンド導体３４ａ，３４ｂに挿入されたキャパシタンスの値を調整する。上下方向のキャパシタンス３６ａ，３６ｃ，３６ｅ，３６ｇ、また左右方向のキャパシタンス３６ｂ，３６ｄ，３６ｆ，３６ｈはペアで変えた方が望ましい。上下方向のキャパシタンス３６ａ，３６ｃ，３６ｅ，３６ｇ、また左右方向のキャパシタンス３６ｂ，３６ｄ，３６ｆ，３６ｈは可変容量コンデンサを用いてもよい。
【００２６】
リング導体３２ａ，３２ｂは、傾斜磁場コイル駆動時にリング導体に渦電流が発生しないように、十分に容量の大きいキャパシタンスを１ケ所以上挿入するとよい。ウイング導体３１ａ−３１ｄに渦電流が多く流れるのを避けるための方法は、図４と同様である。
【００２７】
図１１の構成を分かりやすくするために、図１２では、図１１の実施形態の磁気共鳴映像装置用高周波コイルの電気的等価回路を示す。エンド導体３４ａ，３４ｂの位置は、図１２から類推されるように、図１１のごとくリング導体３２ａ，３２ｂの内側に置く必要はない。外側でも、軸方向に隣接する位置でもよく、電気的回路が図１２と等価であればよい。
【００２８】
図１２でウイング導体３１ａ−３１ｄの中心を通るように点線で示されているのは、電気的中点であり、この位置で楕円上のリング導体をウイング導体に接続しても問題はなく、さらに接続後軸方向の半分を取り除いても使用上問題はない。これは図１の実施形態に対して図４の変形例があり得るのと同様である。もちろん、リング導体には渦電流の発生を抑えるため１ケ所以上十分容量の大きいキャパシタンスを挿入するのが望ましい。図１１の実施形態のコイルを人胴体に適用する場合は、長軸を水平方向に、短軸を上下方向にする。その際、被検者に装着するには開閉機構がある方が望ましい。
【００２９】
図１３は、図１１の実施形態のコイルを開閉式にするための一例を示している。本コイルでは、ウイング導体３１ｃに流れる高周波電流は、リング導体３１ａ，３２ｂ、あるいはエンド導体３４ａ，３４ｂでは２方向に分割される。よって、幅広なウイング導体の真ん中で軸方向に入れたスリットで分割しても高周波電流のパスに影響を与えない。つまり電気的に接続する必要はない。もちろんこの際、図１１ではウイング導体３１ｃとリング導体３２ａ，３２ｂを接続する容量Ｃのキャパシタンスをそれぞれ１つしか示していないが、ウイング導体３１ｃを分割する場合には、容量Ｃ／２のキャパシタンス４０ａと４０ｂ，４０ｃと４０ｄを２つ並列に並べ、その間にスリットが入るようにする。リング導体３２ａ，３２ｂ、エンド導体３４ａ，３４ｂも同じ位置で切断することにより、この位置で完全にコイルを切断することが可能である。その際リング導体３２ａ，３２ｂ、エンド導体３４ａ，３４ｂは切断端で各々接続導体４１ａ−４１ｄで接続する。コイルを可塑性を有する支持部材で覆い、被検者に入ってもらうときは切断部を開き、切断部を閉じる際には接続部に例えばマジックテープを用いることにより容易に被検者に装着できるようになる。これは図６の例と同様である。
【００３０】
図１１の実施形態の高周波コイルも、頭部に適用できる。長軸を上下方向に、短軸を左右方向にし図７の様に構成できる。図７の例ではエンド導体を導体板で形成しているが、図１１の例ではリング導体を導体板で形成すればよい。また図１０のように頭部用コイルは被検体との密着度を高めるため、ヘッドレスと一体型で形成しても良い。
【００３１】
また図１２から容易に推察されるように、ウイング導体３１ａ−３１ｄとキャパシタンス３３ａ−３３ｈは直列に接続されていればよいので、図１１のようにウイング導体の両側にキャパシタンスを設けるのではなく、真ん中に配置しても構わない。その場合は構造的には図２のようになる。
【００３２】
以上の例では、送受信兼用の例を示したが、受信専用に構成しても良い。その際には、図１４に示すようにコイルを構成するキャパシタンスのうちの一部のキャパシタンスＣ′５１に並列に、インダクタンスＬ′５２とクロスダイオード５３を直列に結合したものを接続すればよい。その際、本発明の高周波コイルの共鳴高周波をωｏ  としたとき、ωｏ ２  ＝１／（Ｌ′Ｃ′）になるようにする。またクロスダイオード５３の代わりにピンダイオードを用いることもできる。
【００３３】
【発明の効果】
以上のように本発明によれば、胸腹部や頭部の高Ｓ／Ｎな画像が得られるようになり、また、分割してフレキシブルに構成することにより、被検体に容易に装着可能な楕円筒型でＱＤ型の磁気共鳴映像装置用高周波コイルを提供することができる。
【図面の簡単な説明】
【図１】本発明の一実施形態に係る磁気共鳴映像装置用高周波コイルの概略を示す図。
【図２】図１の高周波コイルのウイング導体の別の構成例を示す図。
【図３】図１の高周波コイルの電気的等価回路を示す図。
【図４】図１の高周波コイルを軸方向に非対称に構成した例を示す図。
【図５】図１の高周波コイルを被検体に取り付けやすくするため切断して開閉できるようにした例を示す図。
【図６】図５のコイルを可塑性を有するカバーで覆った場合の断面図を示す図。
【図７】図４のコイルを頭部用に構成した例を示す図。
【図８】図７の高周波コイルのエンド導体の別の構成例を示す図。
【図９】図７の高周波コイルのエンド導体のさらに別の構成例を示す図。
【図１０】図７の高周波コイルをヘッドレストと一体に構成した例を示す図。
【図１１】本発明の別の実施形態に係る磁気共鳴映像装置用高周波コイルの概略を示す図。
【図１２】図１１の高周波コイルの電気的等価回路を示す図。
【図１３】図１１の高周波コイルを被検体に取り付けやすくするため切断して開閉できるようにした例を示す図。
【図１４】本発明の高周波コイルを受信専用として用いるとき送信状態にて高周波コイルをＯＦＦ（周波数の離調）状態にするトラップ回路の例を示す図。
【符号の説明】
１ａ−１ｄ  ウイング導体              ２ａ，２ｂ  リング導体
３ａ，３ｂ  エンド導体
４ａ−４ｈ  リング導体とエンド導体間キャパシタンス
５ａ−５ｈ  リング導体キャパシタンス  ６ａ，６ｂ  同軸ケーブル
７ａ，７ｂ  アース側導体              ８ａ，８ｂ  キャパシタンス
９ａ，９ｂ  スリット                  １０ａ，１０ｃ  キャパシタンス
１１  リング導体
１２  リング導体とエンド導体間キャパシタンス
１３  被可塑性支持部材                １４  マジックテープ
２１  リング導体                      ２２  銅板状エンド導体
２３  分割されたエンド導体            ２４  キャパシタンス
２５  ヘッドレスト                    ２６  寝台
３１ａ−３１ｄ  ウイング導体          ３２ａ，３２ｂ  リング導体
３３ａ−３３ｈ  ウイング導体とリング導体間キャパシタンス
３４ａ，３４ｂ  エンド導体
３５ａ−３５ｈ  リング導体とエンド導体間接続導体
３６ａ−３６ｈ  エンド導体キャパシタンス
３７ａ，３７ｂ  同軸ケーブル          ３８ａ，３８ｂ  アーク側導体
３９ａ，３９ｂ  キャパシタンス
４０ａ−４０ｄ  ウイング導体とリング導体間キャパシタンス
４１ａ−４１ｄ  リング導体とエンド導体間接続導体
５１  キャパシタンス                  ５２  インダクタンス
５３  クロスダイオード
【図１】
0003569049.tif 000002
【図２】
0003569049.tif 000003
【図３】
0003569049.tif 000004
【図４】
0003569049.tif 000005
【図５】
0003569049.tif 000006
【図６】
0003569049.tif 000007
【図７】
0003569049.tif 000008
【図８】
0003569049.tif 000009
【図９】
0003569049.tif 000010
【図１０】
0003569049.tif 000011
【図１１】
0003569049.tif 000012
【図１２】
0003569049.tif 000013
【図１３】
0003569049.tif 000014
【図１４】
0003569049.tif 000015